(57)【特許請求の範囲】
【請求項１】
固定スクロールの渦巻状のラップと組み合わせてスクロール圧縮機のポンプ部を構成する円盤状の鏡板と、その鏡板から直立させた渦巻状のラップとを有する旋回スクロール加工方法において、
スピンドルに装着された研削砥石を用いて前記旋回スクロールの鏡板面を研削加工する工程と、前記研削砥石を用いて前記旋回スクロールのラップの先端を前記鏡板面から一定高さに研削する工程と、前記旋回スクロールのラップの外側にある渦巻始めから約半巻離れた当該ラップの外周から当該渦巻方向に前記渦巻始めまでの渦巻周辺であって、前記研削加工された鏡板面及び前記旋回スクロールの渦底面を、前記研削加工された鏡板面から一定深さにエンドミルにより掘込み加工する工程とからなることを特徴とする旋回スクロールの加工法。
【発明の詳細な説明】
【０００１】
【産業上の利用分野】
本発明は、空気調和機などに使用されるスクロール圧縮機に係り、特に、固定スクロールとの組み合わせによってポンプを形成する、旋回スクロールのラップ及び鏡板面精密加工の効率的な加工法に関する。
【０００２】
【従来の技術】
スクロール圧縮機は、特開平１−１８７３８８号公報に記載されるように、固定スクロールと旋回スクロールのそれぞれの鏡板面から直角に屹立したラップを、微小な間隙をもって組み合わせ、所期の運転性能を発揮するものである。
【０００３】
ここで、このポンプ部分を図１５〜図１８に基づいて、更に詳細に説明する。
【０００４】
２１は固定スクロール、２１ａはラップ、２１ｂはラップ先端、２１ｃはラップ側面、２１ｄはラップ内線、２１ｅはラップ外線、２１ｆは鏡板、２１ｇは渦底面、２２は旋回スクロール、２２ａはラップ、２２ｂはラップ先端、２２ｃはラップ側面、２２ｄは鏡板、２２ｅは鏡板面、２２ｆは渦底面、２２ｇは掘込み部、２２ｈはラップ内線、２２ｉはラップ外線、２２ｊはベアリング、２２ｋはキー溝、２３はフレーム、２３ａはベアリング、２３ｂはキー溝、２４はオルダムリング、２４ａは突起部、２５はクランクシャフト、２５ａは偏心部、２６はボルト、２７は吸入口、２８は吐出口、２９は圧縮室である。
【０００５】
図１５は、ポンプの組立状態を示す側断面図で、フレーム２３のベアリング部２３ａにクランクシャフト２５が挿入されている。このクランクシャフト２５の偏心部２５ａと旋回スクロール２２とは、その反ラップ側に形成されたベアリング２２ｊ内径に、偏心部２５ａの外周が嵌合され組み立てられている。この時、フレーム２３と旋回スクロール２２との間には、オルダムリング２４がそれぞれのキー溝２２ｋ、２３ｂに、中空円板状の上下に直角方向に配置した突起部２４ａを挿入し、クランクシャフト２５の回転運動を、旋回スクロール２２の旋回運動に連繋するように組み立てられる。また、固定スクロール２１は、前述の旋回スクロール２２の上部から、それぞれのラップ２１ａ及び２２ａのラップ側面２１ｃ，２２ｃ間とラップ先端２１ｂ，２２ｂと渦底面２１ｇ，２２ｆ間が微小なクリアランスを形成するように近接させた状態で組み合せられ、ボルト２６によってフレーム２３に締結されている。その結果、ポンプ部の下部（クランクシャフトに固接した）に配置された電動機（図示せず）の回転により、固定スクロール２１内を旋回スクロール２２が揺動し、図１７に示すように渦巻状のラップ２１ａ及び２２ａで形成する圧縮室２９が、順次（イ）から（ニ）のように体積が縮小し、吸入口２７から供給されたガスを吐出口２８に矢印の方向に連続的に押し出し、レシプロ圧縮機等に比較し、小体積の圧縮室を多段に形成したことから、低振動を目的とした圧縮機が得られる。
【０００６】
ところで、上記のようなスクロール圧縮機の旋回スクロールの加工法の第１の問題点として、次のような事項があった。
【０００７】
上記スクロール圧縮機を形成する固定及び旋回スクロール２１，２２は、それぞれ機能的に特徴を有し設計される。即ち、固定スクロール２１は、鏡板の外側から高圧ガスが負荷されることから、これに対する変形防止を目的として、鏡板の厚さを大きく取った剛性の高い形状にされていた。
【０００８】
これに対し、旋回スクロール２２は、クランクシャフト２５の偏心部２５ａの回転運動で旋回するため、その重量に起因する慣性力が、圧縮機の運転時の振動の原因となることから、極力軽量化した薄肉形状の剛性の低い構造を採用している。
【０００９】
図１６は、この従来の旋回スクロール２２の加工法の一例を示す。
【００１０】
ここで、２７は旋回スクロールのチャック、２８はバッキングプレートである。
【００１１】
即ち、図１６に示すように従来の旋回スクロール２２は、鏡板２２ｄ外周を旋回スクロール２２の軸方向に対して垂直な方向である水平方向から把持する爪（以下抱き爪）を備えたチャック２７により、チャック（保持固定）するのが通例である。
【００１２】
しかしこの方法では、破線に示すように鏡板２２ｄに、締め付け変形が生じることから、基本的に加工後の平面度が出にくい。また、この水平方向からの旋回スクロール２２のクランプ方法では、旋回スクロール２２の変形と相俟って、バッキングプレート２８から旋回スクロール２２が浮き上がり、両者の密着が不安定で、鏡板面の厚さ精度にばらつきが生じやすいなどの欠点がある。
【００１３】
従って、スクロール圧縮機の生産上のキーポイントとして、この低剛性の旋回スクロール２２を、如何に高精度に加工するかが性能の確保と関連し、生産技術上の大きな課題である。
【００１４】
なお、固定スクロール２１の鏡板２１ｆの加工精度は、その性能上の要求から、固定スクロール２１自体が厚肉の高剛性形状に設計されることから、比較的加工時の締め付け変形が小さく、高精度の平面精度が得られる。
【００１５】
また旋回スクロールの加工法の第２の問題点として、次のような事項があった。
【００１６】
旋回スクロール２２の所定範囲には掘込み部が設けられ、図１８の斜線部は、旋回スクロール２２のラップ２２ａ外側から中心部にかけて形成される掘込み部２２ｇを示し、この掘込み部２２ｇを設ける目的は、図１５のポンプ組立状態で、固定スクロール２１の上面側から負荷される吐出ガスによる、鏡板２１ｆの破線に示す変形で、固定スクロール２１のラップ先端２１ｂと、近接配置する旋回スクロール２２の渦底面２２ｆとの金属接触を防止することにある。
【００１７】
このようなスクロール圧縮機に使用される固定、固定スクロールの渦巻状のラップの成形精度は、直接的に本来の圧縮機の性能を左右することから、その方法としてエンドミル切削、砥石研削、放電加工及びラッピング加工など各種の工作方法の検討が為されてきたが、成形時間、工具コスト等から現在の処、エンドミルによるラップ側面及び底面加工が、最も量産性があり、空気調和機業界はこの方向で進んでいる。
【００１８】
エンドミルによる加工法の従来の一例を、本発明に係る旋回スクロールを例に採り図１９に示す。
【００１９】
３０は荒引き用エンドミル、３１はラップ側面と渦底面中仕上及びラップ先端面取エンドミル、３２はラップ側面仕上加工用エンドミル、３３は鏡板及び渦底面仕上加工用エンドミルである。
【００２０】
即ち、図１９（１）は旋削加工後の素材を用いた荒引き工程を示し、ラップ側面２２ｃ、渦底面２２ｆ及び鏡板面２２ｅを後工程での適正仕上代を残した状態で、荒引き加工用エンドミル３０を使用し、破線に示すようにラップ側面２２ｃ及び渦底面２２ｆを含む鏡板面２２ｅ全面を加工する。
【００２１】
図１９（２）はラップ側面２２ｃ、鏡板面２２ｅ、渦底面２２ｆの中仕上工程及びラップ先端２２ｂの面取加工の状態を示し、前記荒引き工程完了後の物を素材とし、面取刃３１ａを有するエンドミル３１を用いて、ラップ側面２２ｃ、鏡板面２２ｅ、渦底面２２ｆを微小な仕上代を残して中仕上加工した後、ラップ先端２２ｂの面取加工を行う。
【００２２】
図１９（３）は、ラップ側面２２ｃの仕上加工を示し、即ち、エンドミル３２を用いて、ラップ２２ａの内線２２ｈから外線２２ｉにかけて、全周を図２０に示すように一筆軌跡で加工を完了する。なお、図２０は、エンドミル３２の動作の一例を示すもので、ここで、矢印に示すようにラップ内線２２ｈ（或いはラップ外線２２ｉ）からラップ外線２２ｉ（或いはラップ内線２２ｈ）に連続的にエンドミル３２を一筆書きのように動作させ切削している状態を示す。
【００２３】
図１９（４）は、鏡板面２２ｅ、渦底面２２ｆ、ラップ先端２２ｂの仕上加工を示し、即ち、ラップ側面２２ｃと若干の空隙を持った直径のエンドミル３３を用い、鏡板面２２ｅ、渦底面２２ｆを図１１に示すように仕上加工した後、同エンドミル３３を移動し、ラップ先端２２ｂを連続して仕上切削する。
【００２４】
なお、この時エンドミル３３の軸方向移動で掘込み部２２ｇも同時に連続で加工する。ここで、図２１は鏡板面２２ｅ、渦底面２２ｆ即ち掘込み部２２ｇの加工順序の一例を示すもので、即ち、▲１▼鏡板面２２ｅのラップ２２ａの外側半周→▲２▼鏡板面２２ｅの外周一周→▲３▼渦底面２２ｆ即ち掘込み部２２ｇの反転を含む加工順序を説明するものである。
【００２５】
従来のこのようなエンドミル加工では、非常に煩雑な軌跡の組み合わせである反面、スクロールの渦幅の制約で使用するエンドミル直径が小さく、切削時のエンドミルの周速が得られず切削スピードの向上が望めない欠点がある。また、加工機の高回転化により高周速を得ようとした場合は、エンドミルを把持するスピンドルの小径化となり、スピンドル剛性が低下すること、直径に比較してエンドミルの突出し長さが長いこと、従って、エンドミルの片持ち保持の影響で重切削に向かないなどの欠点を有している。
【００２６】
特に、仕上加工においては、面あらさ及び渦形状の高精度化を目的とするため、送り速度のアップが出来ないなどの問題を有し、エンドミル加工自体が決して生産性の高い工作技術とは言い切れない技術的欠点と相俟って、その効率化は大きな課題であり、従来はエンドミル加工の負荷低減のために性能を犠牲にしたラップ精度の劣等化による切削スピードの高速化、ラップ長さの短縮による切削長さの低減などを行い、加工時間の短縮を考慮している。
【００２７】
【発明が解決しようとする課題】
スクロール圧縮機の性能は、ラップ部の側面同士及びラップと溝底面との隙間からのガス洩れ、更に固定、旋回スクロールの鏡板面間の隙間からの洩れの大小で決まると言っても過言でない。
【００２８】
ここで、ラップの形状、ラップの高さ及び渦底深さの精度は、機械加工で相当程度までリアルに創成が可能である。
【００２９】
しかしながら、鏡板面の平面度はチャック方法により微妙な挙動を示し、その結果、平面度の善し悪しが鏡板面間の隙間に直接影響し、洩れの原因になることから、その構造が極力薄くなる設計的要求に反し、従来のスクロール圧縮機の旋回スクロールの形状及び加工方法では、加工精度を確保するのが極めて困難で、そのため振動性能を犠牲にして、重量的に不利になる比較的厚い形状の鏡板とし、剛性を確保する構造を採用せざるをえなかった。
【００３０】
本発明の目的は、従来スクロール圧縮機の性能の劣化を来すこと無く、エンドミル加工の効率化を図ろうとするもので、固定、旋回スクロールの組み合わせにおいて、スクロール圧縮機としての機構上から、高精度化を必要としない範囲を極力仕上加工省略し、切削時間の短縮を図る加工法を提供するものである。
【００３１】
【課題を解決するための手段】
上記の目的を達成するために、本発明による解決手段は、特許請求の範囲の請求項１に記載のとおりである。
【００３２】
【作用】
本発明による旋回スクロールの加工法では、固定スクロールが有するラップと旋回スクロールが有するラップのうち、圧縮室を構成する部分は相互の外線、内線全ての範囲が全て高精密化する必要がない。即ち、一例であるが旋回スクロールの外線の最外周部１８０°付近は、近接する固定スクロールのラップが存在しない。また、この付近の鏡板面には固定スクロールのラップ先端も近接して配置されないことから、仕上加工の必要が無く、荒引き加工面で充分性能を確保出来、結果的に工程短縮が可能で、高性能で製造原価の低廉なスクロール圧縮機を提供することが出来る。
【００３３】
【実施例】
以下、本発明に先行する発明（以下「参考例」という）の実施例を図１〜図４により説明する。
【００３４】
図１、図２は参考例に係る旋回スクロールの形状の一例を示す側断面図と平面図である。尚、図２は図１の矢印Ａの方向から見た平面図である。
【００３５】
１は旋回スクロール、１ａは渦巻状のラップ、３はラップが屹立乃至直立する鏡板、４は鏡板の外周部、５は外周部に設けた周溝、６はベアリング、７は鏡板外周のチャック部、８は放射溝、９は鏡板裏面である。
【００３６】
即ち、基本的に旋回スクロール１は、鏡板３とその上部に直角に屹立するラップ１ａと、このラップ１ａと鏡板３を挟んで反対側に形成されるベアリング６の主要機能部分が一体に構成されている。
【００３７】
参考例の旋回スクロール１は図１に示すように、従来の旋回スクロール２２に見られなかった周溝５が任意の幅及び深さで、鏡板３の外周部４に刻設する。この周溝５の平面部５ａは、反ラップ側の鏡板裏面９と平行に、即ち、一点鎖線で示す旋回スクロール１の軸心に直角（バッキングプレート１１に平行）に形成されている。周溝５は鏡板の外周部４の全周に必ずしも連続する必要はなく、適宜幅及び深さを有する切欠きとすることもできる。
【００３８】
放射溝８は、図２に示すように反ラップ側のチャック部７から、前周溝５が鏡板裏面９に露出するように、複数且つ任意個所に刻設される。
【００３９】
なお、鏡板裏面９はバッキングプレート１１との密着性向上のために渦加工前に、研削などにより良好な平面性状を確保してある。
【００４０】
図３〜図５は前記溝５，８を利用した旋回スクロール１の加工の一例を示す側断面図及び平断面図である。
【００４１】
なお、図４は旋回スクロール１の加工機１０への取付けの状態及び旋回スクロール１とエンドミルの１３の作動状態の一例を示す正面図である。また、図５は図３のＢ−Ｂ線に沿った断面図である。
【００４２】
１０は加工機、１０ａはワーク（旋回スクロール）側主軸、１０ｂは工具（例えばエンドミル）側スピンドル、１１は加工機のバッキングプレート、１２は引き爪、１３はエンドミル等の工具を示す。
【００４３】
ここで、ワーク側主軸１０ａ軸心と工具側スピンドル１０ｂの軸心は平行の位置関係にある。
【００４４】
図３に示すように、例えば引き爪１２を回動して周溝５に係合し、旋回スクロール１はスクロール加工機１０のバッキングプレート１１に、旋回スクロール１のベアリング６側の裏面９が当接した状態で、破線から実線に示すように引き爪１２を作動させ、旋回スクロール１をバッキングプレート１１側に、任意圧力で軸心方向に引込み、両者を密着させ固定する。
【００４５】
尚、引き爪１２は図示しないが把持する部分の若干の形状誤差に追随可能なフローテング構造を具備している。
【００４６】
その後、図４に示すようにワーク主軸１０ａを矢印の方向に回転し、これに同期させてエンドミル１３を、直線で示す矢印の方向へ移動させ、所期の加工を行う。
【００４７】
図５は引き爪１２と旋回スクロール１の放射溝８の位置関係を、更に詳細に説明するもので、即ち、チャックの引き爪１２の左右が、放射溝８を均等に跨ぐ形態に旋回スクロール１のチャック部７に掛かっている。
【００４８】
この放射溝８と引き爪１２の位置関係が重要な理由は、図６に示すように放射溝８の無い状態で、旋回スクロール１を引き爪１２により把持した場合、その引込み力により、旋回スクロール１のチャック部７が局部的に破線に示すように弾性変形し、その結果、鏡板３面上面も引っ張られて破線に示すように、チャック方向に若干の弾性変形を生じ、この状態で平面部を加工すると良好な平面度が得られない。
【００４９】
図７は、参考例の引き爪１２と放射溝８の作用を示すもので、即ち、引き爪１２が放射溝８の内部に、その引込み力によって湾曲状態の変形を生じ、その結果、最も近接して変形抵抗の小さい放射溝８の両端面が、破線に示すように放射溝８内に、倒れ状態の局部的弾性変形が生じ、その変形範囲が極めて小さいことから鏡板面の上面まで変形が到ることが無い。
【００５０】
また、引き爪１２が湾曲すること及び放射溝８端面が図７のように局部的に変形することから、結果的に旋回スクロール１に引き爪１２が食い込む形態となり、エンドミル１３によって水平方向から負荷される切削応力に対し、ずれ防止を図ることが可能となり、安定した把持状態が得られる。
【００５１】
なお、この放射溝８を設けないで鏡板面の変形を抑える方法としては、図８に示すように、鏡板３の端面４に相当深い溝５を刻設することによって目的を達成することが可能であるが、本来軽量化の目的で鏡板３の薄肉形状で設計される旋回スクロール１に、このような深溝を形成することは鏡板面自身の剛性不足を来し、他の信頼性上の問題を引き起こす結果になり得策でない。
【００５２】
次に本発明の他の参考例を図９〜図１１により説明する。
【００５３】
１は旋回スクロール、１ａはラップ、１ｂはラップ１ａの外側約半巻き分、１ｃはラップ先端、１ｄはラップ側面、１ｅは鏡板、１ｆは鏡板面、１ｇは鏡板の一部範囲、１ｈは鏡板の外径、１ｉは渦底面、１ｊは渦掘り込み部、１ｋはラップ内線、１ｌはラップ外線、２は固定スクロール、２ａは固定スクロールのラップ、２ｂは固定スクロールのラップ内線、２ｃは固定スクロールのラップ外線、２ｄは固定スクロールの鏡板、２ｅは固定スクロールの内径である。
【００５４】
即ち、吸い込み終了時点での相互のラップ１ａ，２ａの位置関係は図９（イ）に示すようになっている。この際、旋回スクロール１の鏡板１ｅは破線に示すように固定スクロール２の鏡板２ｄと、その外径１ｈ、固定スクロール２の内径２ｅがある面積をもって重複する形態に重合している。
【００５５】
図９（ロ）（ハ）（ニ）は順次にガスの圧縮行程を示すもので、前述の旋回スクロール１の外周１ｈの最外周は、図１０に描かれた一点鎖線が示すような軌跡を辿る。また、旋回スクロール１のラップ１ａは固定スクロール２のラップ２ａ内及び外側を、そのラップ内線１ｋ、ラップ外線１ｌが、固定スクロール２のラップ外線２ｃ、ラップ内線２ｂに近接した隙間をもって揺動運動する。この時の旋回スクロール１のラップ１ａの全移動範囲は二点鎖線に示す範囲である。
【００５６】
ここで注目すべきは、旋回スクロール１のラップ１ａの外側の約半巻き分１ｂ、即ち、渦巻始めのＡ点から約１８０度隔たったＢ点は、固定スクロール２の内径２ｅと、大きな空隙をもっており、気密性を要する近接した関係に無い。
【００５７】
また、旋回スクロール１の鏡板面１ｆの内、斜線に示す一部範囲１ｇは、固定スクロール２のラップ２ａが形成せず、また固定スクロール２の内径と重合しない部分である。
【００５８】
従って、上記Ａ点からＢ点のラップ１ａ外線１ｌの側面１ｄの約半巻き分１ｂと、斜線で示す鏡板１ｅの一部範囲１ｇの、エンドミルによる中仕上、仕上切削加工を省略することが出来る。
【００５９】
図１１は、以上述べた仕上切削個所省略の場合の旋回スクロール１の形状の一例を示すもので、ラップ外線１ｌのＡ点からＢ点に到る、斜線に示す側面１ｄの約半巻き分１ｂの渦曲線を、従来の仕上加工寸法より小さめに、予め荒加工で切削し、該部分１ｂは荒加工を最終工程とする。
【００６０】
また、鏡板面１ｆの斜線に示す一部範囲１ｇも、荒加工で切削した状態とし、従来の渦底面エンドミル２１，２３で中仕上、仕上切削加工をする省略した状態で、他の鏡板面１ｆより高い、段差形状を呈している。
【００６１】
従って、本参考例によれば、ラップ外側約半巻き分１ｂと鏡板面１ｆの一部範囲１ｇの中仕上、仕上加工時間の短縮が図れる。
【００６２】
図１２は、以上述べた本参考例の一例を、ラップ１ａ側面１ｄの仕上加工を例にとりエンドミル軌跡を示したもので、図２０に比較しラップ外側半巻き分１ｂのエンドミルの軌跡動作が無い。
【００６３】
図１３は、同様に本参考例の鏡板面１ｆの仕上加工の一例を示すもので、(1）鏡板１ｆの外周側一周→(2)掘込み部１ｊから溝底面１ｉ反転加工のみで、図２１に比較し鏡板面１ｆの一部範囲１ｇの約半周分のエンドミルの軌跡動作が省略できる。
【００６４】
更に、図１４は本発明の加工方法の一例を示すもので、エンドミル加工の有する周速アップ及び片持ちスピンドルでの剛性不足を解除する目的から考えられる、加工法の一例を示す。
【００６５】
１０はラップ側面、底面及び面取加工用エンドミル、１１はラップ側面仕上加工用エンドミル、１２は研削用スピンドル、１３は研削砥石、１４は掘込み部１ｇ加工用エンドミルである。
【００６６】
即ち、図１４（１）は旋削加工した素材を使用し、面取刃１０ａを形成したエンドミル１０により、破線に示すようにラップ側面１ｄ、鏡板面１ｆ、渦底面１ｉの荒加工及びラップ先端１ｃの面取を行う。この時、ラップ１ａの外側半巻き分１ｂ（図示せず）の加工は本発明に従い、渦仕上形状より若干小さめに加工しておく。
【００６７】
次に、図１４（２）破線に示すように、ラップ側面仕上加工用エンドミル１ｌを用いて、図１２に示すようなラップ側面１ｄの仕上加工を行う。
【００６８】
図１４（３）は図１４（２）加工終了後の旋回スクロール１を使用し、研削スピンドル１ｌに任意外径を有する研削砥石１３を装着し、破線・に示すように、本発明に係る一部範囲１ｇを除いた鏡板面１ｆの平面研削加工を実施する。その後、破線・に示すように同研削砥石１２を移動し、破線に示すようにラップ先端１ｃの平面研削仕上加工を行う。
【００６９】
更に、図１４（４）は掘込み部加工用エンドミル１４を用い、破線に示すようにラップ１ａ外側から渦底面１ｉに連繋する掘込み部１ｊの仕上切削加工を行う。この時、掘込み深さは鏡板面１ｆの位置を計測し、適宜量補正しながら加工する。掘込み部１ｊは、図１３に示すように、渦巻き始め点Ａ（符号Ａ，Ｂについては、図１０参照）から渦巻き方向に約１８０°隔たった点をＢとした場合（点Ａ，Ｂ間は前記荒加工範囲１ｇに対応する）、点Ｂから点Ａまでの同渦巻き方向約１８０°間の鏡板面１ｆ及び溝底面１ｉに設定される。
【００７０】
この結果、先に述べたエンドミルを主体とする鏡板面１ｆ全体の加工に比較し、最終加工の掘込み部１ｊと、鏡板面の一部範囲１ｇを除いた鏡板面１ｆとラップ先端１ｃを、適宜大きさの砥石直径を選定することが可能であり、従って、大周速で高速、高効率加工が実現できる。この場合、エンドミルに比較し面あらさ精度の向上が併せて期待できる。
【００７２】
【発明の効果】
鏡板面加工に研削砥石の採用が可能となり、研削スピンドルはその支持剛性が高く、また、ラップと干渉しないその形成部の外側、ラップの上面の研削で、比較的大きい砥石が採用できることから、従来、旋回スクロールのラップ側全面のエンドミル加工を余儀なくされていた、極めて長時間を要する煩雑な加工を、短時間で、高精度且つ良好な面精度が得られる方法に変更出来、本発明の旋回スクロール加工への適用効果は大きく、延いては、高性能で低廉なコストのスクロール圧縮機を提供できる。
【図面の簡単な説明】
【図１】参考例に係る旋回スクロールの構造の一例を示す側断面図。
【図２】図１に示す参考例に係る旋回スクロールのＡ視図。
【図３】参考例による旋回スクロールのチャックへの取付け状態と、加工状態の一例を示す側面図。
【図４】参考例に係る旋回スクロールの加工状態の一例を、旋回スクロールの動作及びエンドミルの動作の一例で示した正面図。
【図５】参考例に係る旋回スクロールの放射溝とチャックの引き爪の相互関係位置を示す平面図。
【図６】放射溝の無い旋回スクロールのチャック状態の一例を示す側面図。
【図７】参考例に係る放射溝を設けた旋回スクロールのチャック状態の一例を示す側面図。
【図８】参考例と同様のチャック変形極小とする旋回スクロールの形状の一例とチャック方法の一例を示す側断面図。
【図９】ポンプ部を形成する旋回、固定スクロールの圧縮動作行程を示す平面図。
【図１０】本発明に係る旋回、固定スクロール相互の動作範囲の一例を示す平面図。
【図１１】本発明に係る旋回スクロールの形状の一例を示す斜視図。
【図１２】本発明に係る旋回スクロールの側面仕上切削加工の一例を示す平面図。
【図１３】本発明に係る旋回スクロールの鏡板面仕上切削加工の一例を示す平面図。
【図１４】本発明に係る旋回スクロールの研削加工を一部適用した加工法の一例を示す側断面図。
【図１５】従来公知スクロール圧縮機のポンプの構造の一例を示す側断面図。
【図１６】従来公知スクロール圧縮機の旋回スクロール加工時の抱き爪によるチャック方法と旋回スクロール変形の一例を示す側面図。
【図１７】スクロール圧縮機のポンプ部の圧縮動作工程を示す平面図。
【図１８】旋回スクロールの掘り込み部形成の一例を示す平面図。
【図１９】従来公知スクロール圧縮機の旋回スクロールの加工法の一例を示す側断面図。
【図２０】従来公知旋回スクロールのラップ側面加工の一例を示す平面図。
【図２１】従来公知旋回スクロールの鏡板面及び渦底面の加工の一例を示す平面図。
【符号の説明】
１…旋回スクロール
２…渦巻状ラップ
３…鏡板
４…鏡板の外周部
５…周溝
７…旋回スクロールのチャック部
８…放射溝
９…旋回スクロールの裏面
１０…加工機
１１…バッキングプレート
１２…引き爪
１３…エンドミル
１ａ…ラップ
１ｂ…ラップ１ａの外側半巻き分
１ｃ…ラップ先端
１ｄ…ラップ側面
１ｅ…鏡板
１ｆ…鏡板面
１ｇ…鏡板面の一部範囲
１ｈ…鏡板の外周
１ｉ…渦底面
１ｊ…渦掘り込み部
１ｋ…ラップ内線
１ｌ…ラップ外線
２…固定スクロール
２ａ…ラップ
２ｂ…ラップ内線
２ｃ…ラップ外線
２ｄ…鏡板
２ｅ…内径
【図１】
0003708872.tif 000002
【図２】
0003708872.tif 000003
【図３】
0003708872.tif 000004
【図４】
0003708872.tif 000005
【図５】
0003708872.tif 000006
【図６】
0003708872.tif 000007
【図７】
0003708872.tif 000008
【図８】
0003708872.tif 000009
【図９】
0003708872.tif 000010
【図１０】
0003708872.tif 000011
【図１１】
0003708872.tif 000012
【図１２】
0003708872.tif 000013
【図１３】
0003708872.tif 000014
【図１４】
0003708872.tif 000015
【図１５】
0003708872.tif 000016
【図１６】
0003708872.tif 000017
【図１７】
0003708872.tif 000018
【図１８】
0003708872.tif 000019
【図１９】
0003708872.tif 000020
【図２０】
0003708872.tif 000021
【図２１】
0003708872.tif 000022